(57)【要約】  トイレットペーパーロール（４）を支持する手段と、前記ペーパーを湿らせるために液体を供給する手段と、を有するケーシング（１）を備える。前記液体を供給する手段が、本質的に、前記ケーシング（１）に嵌め込まれる取り替え可能または再充填可能なタイプの部分的に閉鎖された投与要素（５）からなる、ことによって特徴付けられる。
2007508091.tif 000002
【特許請求の範囲】
【請求項１】
トイレットペーパーロール（４）を支持する手段と、前記ペーパーを湿らせるために液体を供給する手段と、を有するケーシング（１）を備えるタイプであって、
前記液体を供給する手段は、本質的に、取り替え可能または再充填可能なタイプの部分的に閉鎖された投与要素であって、前記ケーシング（１）に嵌め込まれる投与要素（５）からなる
ことを特徴とするトイレットペーパーロールホルダー。
【請求項２】
前記ケーシング（１）は、ロールホルダーの上方部分に配置され前記投与要素（５）を収納し得るハウジング（６）を有する
ことを特徴とする請求項１に記載のトイレットペーパーロールホルダー。
【請求項３】
投与要素（５）は、ペーパーに液体を分配するための複数の開口部（１３）を有する
ことを特徴とする請求項２に記載のトイレットペーパーロールホルダー。
【請求項４】
ケーシング（１）は、トイレットペーパーロール（４）が回転することを防止するための停止手段（７，１４，１５）を有する
ことを特徴とする請求項１乃至３のいずれか一項に記載のトイレットペーパーロールホルダー。
【請求項５】
停止手段は、ロール（４）を支持するための軸（１６）のリブ（１４）間に挿入される弾性ばねを有するピン（７）によって形成された装置からなる
ことを特徴とする請求項４に記載のトイレットペーパーロールホルダー。
【請求項６】
ケーシング（１）は、前記投与要素のためのハウジングの下方部分に配置された蓋であって、ヒンジ接合された傾倒可能な蓋（８）を有し、
前記蓋は、トイレットペーパーの進行を案内するための案内手段（９）を有する
ことを特徴とする請求項１乃至５のいずれか一項に記載にトイレットペーパーロールホルダー。
【請求項７】
前記ケーシング（１）は、トイレットペーパーの切断を容易にするギザギザ状の部分（１０）を有する
ことを特徴とする請求項１乃至６のいずれか一項に記載にトイレットペーパーロールホルダー。
【請求項８】
前記ケーシング（１）は、その上方部分に、折り畳み式蓋（１１）を有する
ことを特徴とする請求項１乃至７のいずれか一項に記載のトイレットペーパーロールホルダー。
【発明の詳細な説明】
【発明の目的】
【０００１】
本出願の目的は、市販されている他のトイレットペーパーロールホルダーに対し、顕著な改良および利点を有するトイレットペーパーロールホルダーの登録である。
【０００２】
より具体的には、トイレットペーパーを供給する手段と、前記ペーパーを湿らせるために液体を供給する手段と、を有するケーシングを備えたトイレットペーパーロールホルダーについて、言及する。液体を供給する手段は、望まれる場合には、個人衛生または香り付けのため、水または他の液体によってペーパーを湿らせる。
【発明の背景】
【０００３】
今日、当該技術分野において、乾いたまたは湿ったペーパーに対して用いられるトイレットペーパーロールホルダーであって、液体物質をトイレットペーパーに付加することができるトイレットペーパーロールホルダーが知られている。前記ロールホルダーは、スペイン実用新案Ｎｏ．Ｕ２００１０２５６５に記載されている。
【０００４】
好ましくはプラスチック材料のケーシングからなるトイレットペーパーロールホルダーが、前記文献において言及されている。ケーシングの容器のような内部は、香り付けされているまたは香り付けされていない、水あるいは他の処理液または洗浄液によって満たされる。その上に、接触することなく、トイレットペーパーロールホルダーが設けられ、トイレットパーパーロールホルダーのペーパーシートは、容器の液体と接触しないようにそれを分離して保持するフォーク状部を介して通過するように押し付けられる。
【０００５】
しかしながら、上述した装置は、開放型の容器を有しているという事実から、非常に衛生的でないといった不都合を有している。開放型の容器によって、容器に収容された液体は、例えば虫等の近接するゴミまたは他の物質によって、容易に汚染されてしまう。あるいは、摂取した場合に毒性を有することを抱かせるとともに、子供達が、直接接触してしまうという可能性をも有している。あるいは、液体へ接触してしまった場合に、その後に使用者の個人的部分に接触し得るようになるであろう菌の発生を引き起こす。
【０００６】
他方で、香りの良い物質、すなわち揮発性を有する物質を用いた場合、短期間で容易に蒸発してしまい得る。このことは、香りの良い液体を収容された容器を、より頻繁に、補充しなければならなくする。
【発明の概要】
【０００７】
前述した不都合を解消するトイレットペーパーロールホルダーを提供する目的、同様に、以下の記載により明らかになる他の追加的な利点を提供する目的にともなって、本発明は開発された。
【０００８】
トイレットペーパーロールを支持する手段と、前記ペーパーを湿らせるために液体を供給する手段と、を含むケーシングを備えるタイプのトイレットペーパーロールホルダーは、液体を供給する手段が、本質的に、前記ケーシングに嵌め込まれる取り替え可能または再充填可能なタイプの部分的に閉鎖された投与要素（５）からなる、ことによって特徴付けられる。
【０００９】
この特徴により、容易に製造し得るロールホルダーがもたらされる。このロールホルダーは投与要素を有している。投与要素は、たいてい、香り付けされた液体または衛生学上の物質を、ペーパーの一つの面上に供給する。前記投与要素は、空になった場合、容易に取り替えられる。さらには、投与される液体および物質は、外部から隠されるとともに保護される。これにより、前述の装置によって生じていたのとは異なり、前記物質の作用を避けることができる。
【００１０】
投与される物質の塗布は、極めて容易かつ衛生的であるとともに、任意的でもある。すなわち、使用者の必要性に応じて、乾いたペーパーか湿ったペーパーかを選択することが可能となる。前記塗布は、投与要素を手動で下方に押すことにより、実行される。これにより、液体物質は、例えばトイレットペーパーに液体を散布するための複数の小さな開口部を介し、流れ出る。供給が一回実行されると、投与要素は最初の状態に戻る。
【００１１】
本発明の他の態様によれば、ロールホルダーは、投与要素を収納し得り上方部分に配置されたハウジングを有している。前記ハウジングは、投与要素の迅速な収容および取り外しを可能にする。
【００１２】
有用には、投与要素は、ペーパーに液体を分配するための複数の開口部を有している。これにより、投与要素を押すことによって、液体は、ペーパー上に効果的に分配供給される。
【００１３】
好ましくは、ケーシングは、トイレットペーパーロールが連続的に意図せず回転することを防止するための停止手段を有している。トイレットペーパーロールの連続的な意図しない回転は、ペーパーの不必要な浪費を意味する。
【００１４】
制動（ブレーキ）によって、前記手段は選ばれた量の湿ったペーパーまたは乾いたペーパーを選択することができる。なぜなら、単純に、投与要素を押して次にペーパーを切断しさえすればよいからである。
【００１５】
本発明による一実施の形態によれば、停止手段は、弾性ばね等を有したピンによって形成された装置からなる。
【００１６】
本発明の他の態様によれば、ケーシングは、前記投与要素のためのハウジングの下方部分に配置された蓋であって、ヒンジ接合された傾倒可能な蓋を有している。蓋は、トイレットペーパーの進行を案内するための案内手段を有している。前記蓋の存在は、使用前の接触および作用を防止するための本質となり、また、ケース内に存在するだろう残留液体の回収に不可欠である。
【００１７】
有用には、ケーシングは、トイレットペーパーの切断を容易にするギザギザ状の部分を有している。ペーパーの側部は、意図しない摩擦切断を回避するよう、保護されている。
【００１８】
好ましくは、ロールホルダーのケーシングは、その上方部分に、折り畳み式蓋を有している。折り畳み式蓋は、ペーパーロールへのアクセスおよび投与要素を抜き取るためのアクセスを容易にする。前記蓋はその操作を容易にするための凹部を有している。
【００１９】
本発明によるトイレットペーパーロールさらなる特徴、利点および目的は、好ましいが限定的ではない実施の形態であって、添付図面の非限定的な例によって図示された実施の形態によって明らかになる。
【好ましい実施の形態】
【００２０】
図１に示すように、本発明によるトイレットペーパーロールホルダーは、二つの分離された下方ウイング（下方翼部）（２），（３）から構成されたケーシング（１）を備えている。二つの分離された下方ウイング（２），（３）は、ペーパーロール（４）の軸（１６）を支持する。
【００２１】
ロールホルダーは、例えば香り付けされているまたは香り付けされていない液体物質を、供給するための手段を同様に有している。供給するための手段は、本質的に、ケーシング（１）に嵌め込まれる取り替え可能または再充填可能なタイプの投与要素（５）であって、部分的に閉じられた投与要素（５）からなっている。ケーシング（１）は、前記投与要素（５）を収容する上方部分に配置されたハウジングを有している。
【００２２】
視認され得るように、ケーシング（１）の下方ウイング（２），（３）は、トイレットロールペーパー（４）の意図しない回転を防止するための、ブレーキのような停止手段を有している。
【００２３】
本発明によるロールホルダーの前記停止手段は、弾性ばね（図示せず）または同様の要素を有するピン（７）から構成される装置からなっている。装置は、同様に、一対の穴（スロット）（１５）をロール（４）内に有している。穴（１５）内には、ロールホルダーの軸（１６）の半径方向リブ（１４）が収容されている。
【００２４】
ピン（７）は、いったん押し込まれると、ロール（４）の自由な回転動作を規制する。ピン（７）は、軸（１６）のリブ（１４）間に挿入され、液体内容物がペーパー上に塗布されている場合またはそれが引っ張れている場合に、ロール（４）が回転することを防止する。
【００２５】
図２は、ヒンジ接合された傾倒可能な蓋（８）であって、ハウジング（６）の上方部分に配置された蓋（８）を有するケーシング（１）を示している。図２において、蓋（８）はその下方部分により投与要素（５）のために開いている。蓋（８）は、一対の細長いガイド（９）によって形成された案内手段（図３参照）を有している。ガイド（９）は、ペーパーの位置決めを容易にし、使用前における接触および作用を防止する。ペーパーがこの蓋（８）上にある場合、投与要素（５）の内容物が、ペーパー上に塗布される。
【００２６】
ケーシング（１）は、正面部分に、のこぎり歯状のギザギザが設けられた部分（１０）を有している。ギザギザが設けられた部分（１０）は、トイレットペーパーの切断を容易にするとともに、その側部を保護している。
【００２７】
蓋（８）は、正面部分に、フランジ（１２）を有している。フランジは、中央に凹部を有しており、手動でのトイレットペーパーの抜き出しを容易にする。
【００２８】
図４において、開いている蓋（８）の斜視を視認することができる。図４は、投与要素（５）の下方部分を示している。投与要素の下方部分には、前記投与要素（５）内に収納された液体または製品をペーパー上に分配投与するための複数の開口部（１３）が設けられている。ペーパーは、取り出される前に蓋（８）の上を摺動する。
【００２９】
他方で、ケーシング（１）は、その上方部分に（図２参照）、折り畳み式の蓋（１１）を有している。折り畳み式の蓋（１１）の傾倒動作が矢印によって表されている。図１から視認されるように、蓋（８）の自由端部は、ケーシング（１）の端部まで達しておらず、略２−４Ｃｍの何もない空間が形成されている。これにより、ペーパーがフランジ（１２）上からわずかに垂れ下がり、ペーパーを掴むことが容易となる。
【００３０】
上述したことから、本発明によるロールホルダーによれば、容易かつ効果的な方法により、乾いたトイレットペーパーを使用することあるいは容易かつ効果的な方法により湿ったトイレットペーパーを使用すること、を選択することができる。ペーパーに液体を供給するためには、投与要素（５）の内容物を完全に遮断して人に到達しないようにしたままで、投与要素（５）を単純に押すことだけが必要となる。本体は、知られている装置よりも少ないスペースを占める。
【００３１】
本発明によるトイレットペーパーロールホルダーを作製するために用いられる詳細、態様、寸法、他の要素、および材料まで、他の技術的等価物に適宜置き換えることができる。置き換えは、本発明の本質および添付の特許請求の範囲によって特定される領域のいずれからも外れない。
【図面の簡単な説明】
【００３２】
【図１】図１は、内部にトイレットペーパーが配置された、本発明によるトイレットペーパーロールホルダーの斜視図である。
【図２】図２は、図１に示されたトイレットペーパーホルダーのケーシングを、下方位置にある蓋とともに示す部分側立面図である。
【図３】図３は、ロールホルダーの詳細斜視図である。
【図４】図４は、下方位置にある蓋とともにロールホルダーを示す斜視図であり、投与要素のハウジングの下方部分を示している。
【図１】
2007508091.tif 000003
【図２】
2007508091.tif 000004
【図３】
2007508091.tif 000005
【図４】
2007508091.tif 000006
【国際調査報告】
2007508091.tif 000007
2007508091.tif 000008